(57)【要約】【課題】  ダビングモード表示の視認性を改善した記録再生装置を提供することを目的とする。【解決手段】  本発明にかかる記録再生装置は、第１の記録再生部と、第２の記録再生部と、前記第１の記録再生部を示す第１の表示と前記第２の記録再生部を示す第２の表示と前記第１の表示と前記第２の表示との間に配置された複数の発光素子とを有する表示部と、前記第１の記録再生部と前記第２の記録再生部との間でデータを授受するダビングの開始指示が入力される入力部とを備え、前記表示部は、前記入力部に前記開始指示が入力され、ダビングが開始されると、前記複数の発光素子の点灯により、ダビングの方向とダビングの速度とダビングの進捗度を表示する。【選択図】  図1
2006139852.tif 000002
【特許請求の範囲】
【請求項１】
第１の記録再生部および第２の記録再生部を備えた記録再生装置であって、
前記第１の記録再生部を示す第１の表示と、前記第２の記録再生部を示す第２の表示と、前記第１の表示と前記第２の表示との間に配置された複数の発光素子と、を有する表示部と、
前記第１の記録再生部と前記第２の記録再生部との間でデータを授受するダビングの開始指示が入力される入力部と、を備え、
前記表示部は、前記入力部に前記開始指示が入力され、ダビングが開始されると、前記複数の発光素子の点灯により、ダビングの方向とダビングの速度とダビングの進捗度を表示することを特徴とする記録再生装置。
【請求項２】
前記第２の記録再生部から前記第１の記録再生部にデータをダビングするときに、前記表示部は、前記複数の発光素子の中から前記第２の表示に近いほうからダビングの進捗度に応じた数の発光素子を選択し、前記選択された発光素子をダビング速度に応じて順次点灯することを特徴とする請求項１に記載の記録再生装置。
【請求項３】
前記第２の記録再生部から前記第１の記録再生部にデータをダビングするときに、前記表示部は、前記複数の発光素子の中から前記第２の表示に近い発光素子からダビングの進捗度に応じた数の発光素子を順次点灯するとともに、ダビング速度に応じた速度で発光素子を点滅させることを特徴とする請求項１に記載の記録再生装置。
【請求項４】
前記複数の発光素子は、発光する色がそれぞれ異なる複数種類の発光素子を備え、ダビングの記録レートに応じて発光する色を切り換えることを特徴とする請求項１ないし請求項３のいずれかに記載の記録再生装置。
【請求項５】
第１の情報処理部および第２の情報処理部を備えた情報処理装置であって、
前記第１の情報処理部を示す第１の表示と、前記第２の情報処理部を示す第２の表示と、前記第１の表示と前記第２の表示との間に配置された複数の発光素子と、を有する表示部を備え、
前記表示部は、第１の情報処理部と前記第２の情報処理部との間でデータを送受信するときに、前記複数の発光素子の点灯により、データ送信の方向とデータ送信の進捗度を表示することを特徴とする情報処理装置。
【発明の詳細な説明】
【技術分野】
【０００１】
本発明は、複数の記録再生部を備えた記録再生装置において、記録再生部間のダビングモード表示の改善技術に関するものである。
【背景技術】
【０００２】
記録再生装置のコントロールパネルに設けられたＣＤ（Ｃｏｍｐａｃｔ  Ｄｉｓｃ）やＭＤ（Ｍｉｎｉ  Ｄｉｓｃ）等の記録再生部を示す表示の間に複数個のＬＥＤを並べて、ダビング方向にあわせてダビング元（再生）側のＬＥＤを起点とし、ダビング先（記録）側のＬＥＤを終点としてＬＥＤの点灯部を順次移動することにより、ダビング方向を表示する技術がある。さらに、ダビング速度を視覚的に示すように、２倍速の場合は、通常速度より２倍の速度でＬＥＤを点灯させるようにしている。（例えば、特許文献１参照）
また、コンピュータの画面上に、撮像装置からコンピュータへのデータファイルの転送進捗状況を表示する技術がある。（例えば、特許文献２参照）
【特許文献１】特開２００１−２５０３６９号公報
【特許文献２】特開２００１−３２５１３９号公報
【発明の開示】
【発明が解決しようとする課題】
【０００３】
ダビング時には、ダビングの状況を示す複数情報が表示されると、使用者はダビング状況を把握しやすく、使い勝手がよい。一方、複数の情報を別々に表示すると、記録再生装置の表示画面は限られているため、それぞれの表示が小さくなり、視認性が悪いという問題がある。
【０００４】
本発明の目的は、ダビングモード表示の視認性を改善した記録再生装置を提供することにある。
【課題を解決するための手段】
【０００５】
上記課題を解決するために、本発明にかかる記録再生装置は、第１の記録再生部と、第２の記録再生部と、前記第１の記録再生部を示す第１の表示と前記第２の記録再生部を示す第２の表示と前記第１の表示と前記第２の表示との間に配置された複数の発光素子とを有する表示部と、前記第１の記録再生部と前記第２の記録再生部との間でデータを授受するダビングの開始指示が入力される入力部とを備え、前記表示部は、前記入力部に前記開始指示が入力され、ダビングが開始されると、前記複数の発光素子の点灯により、ダビングの方向とダビングの速度とダビングの進捗度を表示する。
【０００６】
また、本発明にかかる情報処理装置は、第１の情報処理部と、第２の情報処理部と、前記第１の情報処理部を示す第１の表示と前記第２の情報処理部を示す第２の表示と前記第１の表示と前記第２の表示との間に配置された複数の発光素子とを有する表示部とを備え、前記表示部は、第１の情報処理部と前記第２の情報処理部との間でデータを送受信するときに、前記複数の発光素子の点灯により、データ送信の方向とデータ送信の進捗度を表示する。
【発明の効果】
【０００７】
本発明によれば、ダビングモード表示の視認性を改善し、使い勝手を向上することができる。
【発明を実施するための最良の形態】
【０００８】
以下、本発明による記録再生装置の一実施例を図１〜図９に用いて説明する。
【実施例１】
【０００９】
図１は、記録再生装置の前面外観図の一例である。前面には蛍光表示管１とリモコンの受光部２とＤＶＤ挿入口３と操作ボタン４が配置されている。マルチ表示部である蛍光表示管１の内部には、ＤＶＤ記録再生部表示５、ＨＤＤ記録再生部表示６、ＤＶＤ記録再生部とＨＤＤ記録再生部がそれぞれ再生あるいは記録を行っていることを示すＤＶＤ記録再生部の再生表示７、ＤＶＤ記録再生部の記録表示８、ＨＤＤ記録再生部の再生表示９、ＨＤＤ記録再生部の記録表示１０を備える。また、記録レート表示１１、再生時間表示１２、ダビング表示１４、高速ダビング表示１５を備えている。そして、ＤＶＤ記録再生部表示５とＨＤＤ記録再生部表示６の間にイルミネーション表示部１３を備える。イルミネーション表示部１３は、例えばＬＥＤ（発光ダイオード）などの発光素子であるイルミネーションバー１３ａ〜１３ｊで構成されている。本実施例では、イルミネーションバーを１０個備えているが、蛍光表示管１の大きさに応じて、個数を増減しても良い。
【００１０】
なお、本実施例では蛍光表示管を用いているが、液晶を代わりに用いても良い。また、本実施例では、ＤＶＤ記録再生部の再生表示７、ＤＶＤ記録再生部の記録表示８、ＨＤＤ記録再生部の再生表示９、ＨＤＤ記録再生部の記録表示１０として、「Ｐｌａｙ」及び「ＲＥＣ」を用いたが、これに限定するものではなく、例えば「再生」「記録」などの他の文字や、再生／記録を示す記号やマークを用いても良い。
【００１１】
図２は、記録再生装置の概略構成を示すブロック図である。蛍光表示管部１、蛍光表示管１を駆動する駆動ＩＣ部１０１、ＨＤＤ記録再生部１０４、ＤＶＤ記録再生部１０５、ＨＤＤ記録再生部１０４やＤＶＤ記録再生部１０５を制御する記録再生制御ＣＰＵ部１０３、リモコン受光部２を備えている。システムＣＰＵ部１０２は、駆動ＩＣ部１０１や、記録再生制御ＣＰＵ部１０３の制御など、本記録再生装置全体を制御するものである。さらに、接続用の端子（図示せず）を介して外部機器、例えばＤ−ＶＨＳ記録再生機１０６やモニター機１０９を接続可能になっている。また、リモコン送信機１０７により使用者が本記録再生装置を操作することができる。リモコン送信機１０７は、メニュー等を選択するためのカーソルボタン１０７ｃ、ダビングを行うときに使用するべんりメニューを表示させるためのべんりメニューボタン１０７ｆ、選択した機能を決定するための決定ボタン１０７ｇを備えている。
【００１２】
ＨＤＤ記録再生部１０４からＤＶＤ記録再生部１０５に信号を通常速度モードでダビングするため使用者の操作手順を説明する。図３〜図６は、モニター機１０９で表示するメニューを示し、図３はべんりメニュー、図４はダビング方向メニュー、図５はダビングモードメニュー、図６はコンテンツメニューを表す。使用者がリモコン送信機１０７のべんりメニューボタン１０７ｆを押すと、リモコン受光部２で受信し、システムＣＰＵ部１０２でモニター機１０９に図３に示すべんりメニュー１１０を表示する。使用者がリモコン送信機１０７のカーソルボタン１０７ｃを用いてダビング１１０ａを選択し、リモコン送信機１０７の決定ボタン１０７ｇで決定すると、図４に示すダビング方向メニュー１１１を表示する。使用者がカーソルボタン１０７ｃでＨＤＤ−＞ＤＶＤ１１１ａを選択し、リモコン送信機１０７の決定ボタン１０７ｇで決定すると、図５に示すダビングモードメニュー１１２を表示する。使用者がカーソルボタン１０７ｃで記録レートを決めるためレート変換（ＸＰ）１１２ｂを選択し、決定ボタン１０７ｇで決定すると、図６に示すコンテンツメニュー１１３を表示する。コンテンツメニュー１１３は、ＨＤＤ記録再生部１０４に記録されている番組の一覧を表示するものである。このコンテンツメニュー１１３から番組３を選択し、リモコン送信機１０７の決定ボタン１０７ｇを押すことにより選択を決定する。
【００１３】
使用者によりリモコン送信機１０７の決定ボタン１０７ｇが押されると、システムＣＰＵ部１０２からの制御信号に応じて、記録再生制御ＣＰＵ部１０３はＨＤＤ記録再生部１０４からＤＶＤ記録再生部１０５にデータをダビングするように制御する。また、駆動ＩＣ部１０１は蛍光表示管１のＨＤＤ記録再生部表示６、 ＤＶＤ記録再生部表示５、ＨＤＤ記録再生部の再生表示９、ＤＶＤ記録再生部の記録表示８、ダビング中を表すダビング表示１４、記録レート表示１１を点灯する。  ダビング動作が開始されると、記録再生制御ＣＰＵ部１０３は、ダビングする番組（コンテンツ）の再生時間をＨＤＤ記録再生部１０４から入手し、再生時間表示１２に表示する。また、システムＣＰＵ部１０２は、ダビングする番組（コンテンツ）の記録時間をＨＤＤ記録再生部１０４から入手し、番組の記録時間と再生時間から進捗度を計算し、点灯に使用するイルミネーションバーの個数を算出する。そして、システムＣＰＵ部１０２は、ＨＤＤ記録再生部表示６側のイルミネーションバー１３ｊを起点としてＤＶＤ記録再生部５に向かって、進捗度に対応した個数のイルミネーションバーを順次点灯させるように駆動するように駆動ＩＣ部１０１を制御する。このとき、ダビング速度に応じて、イルミネーションバーを点滅させる速度あるいは複数のイルミネーションバーを順次点灯させる速度を変えるように制御する。
【００１４】
これにより、イルミネーション表示部１３でダビング進捗度とダビング方向とダビング速度を表示することができる。これにより、記録再生装置の限られた表示画面の中で、表示を大きくすることができ、視認性を向上することができる。なお、図１に示す例では、再生時間表示１２、ダビング表示１４、高速ダビング表示１５を備えているが、イルミネーション表示部１３によりダビング進捗度とダビング方向とダビング速度を表示することができるため、これらを省略しても良い。これらを省略することにより、表示画面の小型化を促進することができる。あるいは、イルミネーション表示部１３を大きくし、視認性を向上することができる。また、ダビング進捗度、方向、速度に限らず、イルミネーション表示部で他の情報を表示するようにしてもよい。例えば、それぞれ発光する色が異なる２種類以上のイルミネーションバーを複数本備え、発光する色を切り換えることにより、記録レート等を示すようにしても良い。この場合、記録レート表示１１を省略することができるため、表示画面の小型化を促進することができる。
【００１５】
次に、ＨＤＤ記録再生部１０４からＤＶＤ記録再生部１０５に通常速度モードでダビングする際の蛍光表示管１内のイルミネーション表示部１３の表示例を図７を用いて詳細に説明する。
【００１６】
図７は、ＨＤＤ記録再生部１０４からＤＶＤ記録再生部１０５にダビングする際の蛍光表示管１の表示例を表す。本例では、１０個のイルミネーションバーを用い、進捗度１０％ごとに表示を切り換えたが、イルミネーションバーの個数はこれに限定されるものではなく、表示画面の大きさ等にあわせて、例えば５個や２０個用いても良い。  ダビング進捗度が１段階目の時（進捗度１）の蛍光表示管１での表示例を図７（ａ）を用いて説明する。進捗度１とは、ダビングが開始されてから進捗度が１０％までの間である。この進捗度１では、イルミネーションバー１３ｊ１つを点滅する。ダビングモードが高速モードの場合は、点滅の切換時間を短くする。例えば、通常速度モード時は点滅間隔を１秒とし、高速モード時が２倍速時には０．５秒とし、５倍速時には０．２秒とする。
【００１７】
ダビング進捗度が２段階目に進んだ時（進捗度２）の蛍光表示管１での表示例を図７（ａ）および（ｂ）を用いて説明する。進捗度２とは、ダビングが開始されてから、進捗度が１０％〜２０％までの間の表示である。以下、進捗度が１０％増加するごとに、進捗度３、進捗度４ということとする。図７（ａ）に示すように、まずイルミネーションバー１３ｊを点灯し、所定時間後に図７（ｂ）に示すようにイルミネーションバー１３ｉと１３ｊを点灯する。そして、所定時間後に図７（ａ）の表示に戻り、以降図５（ａ）から図７（ｂ）を繰り返す。ダビングモードが高速モードの場合は、図７（ａ）と図７（ｂ）の表示の切換間隔を短くする。例えば、通常速度モード時は点滅間隔を１秒とし、高速モード時が２倍速時には０．５秒とする。なお、進捗度２においても、イルミネーションバーを点滅表示することにより、ダビング速度を表示するようにしても良い。
【００１８】
ダビング進捗度が３段階目に進んだ時（進捗度３）も同様に、図７（ａ）〜（ｃ）に示すように、イルミネーションバー１３ｈと１３ｉ、１３ｊを用いて表示を行う。以後、進捗度の進行に合わせて、点灯に使用するイルミネーションバーの個数を増やし、ＤＶＤ記録再生部表示６に向かってイルミネーションバーを順次点灯させることを繰り返し、ダビング完了まで進行する。
【００１９】
以上説明したように、ＨＤＤ記録再生部１０４とＤＶＤ記録再生部１０５との間でダビングをする場合、イルミネーション表示部１３のイルミネーションバーを使用して、ダビング進捗度は点灯するイルミネーションバーの個数で、ダビング方向はダビング元側のイルミネーションバーを起点として進捗度に合わせた個数内のイルミネーションバーをダビング先に向かって順次点灯することで、ダビング速度は順次点灯するイルミネーションバーの切り換え時間で表示するようにしている。これにより、１つのイルミネーション表示部によりダビング方向、速度、進捗度を表示することで、表示画面が限られている場合であっても表示を大きくでき、視認性を向上することができる。なお、前述のように、イルミネーション表示部で表示する情報は、ダビング方向、速度、進捗度に限られず、例えばイルミネーションバーの色を１３ｊは赤、１３ｉは青、１３ｈは赤と交互に配列し、記録レート等に応じて交互に光らせることで色を変え、記録レート等のほかの情報を合わせて表示するようにしても良い。
【実施例２】
【００２０】
ダビング時の第２の表示例を説明する。図８は、ＨＤＤ記録再生部１０４からＤＶＤ記録再生部１０５へのダビングしているときの表示例を示す。なお、図８において、図７と同じ構成は同じ符号を用いて、説明を省略する。
【００２１】
図８（ａ）〜（ｃ）は進捗度３の状態でのイルミネーションバーの点灯の切り換え状態を示すものである。図８（ａ）に示すように、まずイルミネーションバー１３ｊを点灯し、所定時間後に図８（ｂ）に示すようにイルミネーションバー１３ｉを点灯し、さらに所定時間後に図８（ｃ）に示すようにイルミネーションバー１３ｈを点灯する。そして、さらに所定時間後図８（ａ）の表示に戻り、以降図８（ａ）から図８（ｃ）を繰り返す。
【００２２】
本実施例では、一度に点灯するイルミネーションバーは１つずつで良いため、消費電力を低減することができる。例えば、通常は図７に示した方法で表示を行い、使用者が記録再生装置の消費電力を低減するモードに設定した場合には、図８に示す表示方法に切り換えるようにしても良い。これにより、記録再生装置の使用状態に応じて、表示方法を切り換えることができる。
【実施例３】
【００２３】
ダビング時の第３の表示例を説明する。図９は、ＨＤＤ記録再生部１０４からＤＶＤ記録再生部１０５へのダビングしているときの表示例を示す。なお、図７において、図７と同じ構成は同じ符号を用いて、説明を省略する。
図９（ａ）〜（ｃ）は進捗度３の状態でのイルミネーションバーの点灯の切り換え状態を示すものである。図９（ａ）では、イルミネーションバー１３ｉ、１３ｈを点灯するとともに、イルミネーションバー１３ｊを点滅させる。次に、図９（ｂ）に示すように点滅するイルミネーションバーをイルミネーションバー１３ｊからイルミネーションバー１３ｉに切り換える。以降、点滅するイルミネーションバーを切り換える。
【００２４】
本実施例では、進捗度に対応する個数のイルミネーションバーを点灯するとともに、その中の１つを点滅表示させるため、進捗度等のダビング情報をさらに見やすく表示することができる。
【００２５】
尚、本実施例では、ダビング方向を表示するために進捗度に合わせたイルミネーションバーの個数内で順次点灯部が移動するようにしたが、進捗度に応じた個数のイルミネーションバーをまず点灯し、その後所定時間後に全部または一部のイルミネーションバーを使用して順次点灯部を移動して方向を表示後、再度進捗度表示に戻り以降繰り返すようにしても構わない。
【００２６】
以上説明したように、１つのイルミネーション表示部によりダビング方向、速度、進捗度等の複数の情報を表示できるため、記録再生装置の表示画面が限られている場合であっても、ダビング情報を見やすく表示することができる。なお、以上の実施例では、複数の情報を一度に表示するようにしていたが、使用者の操作に応じて、あるいは所定時間ごとに、イルミネーション表示部が進捗度表示と方向表示、速度表示と表示情報を切り換えるようにしても良い。
【００２７】
以上の実施例では記録再生部の記録媒体としてＨＤＤとＤＶＤの場合で説明したが、これに限るものではない。例えば、テープやディスクやメモリカード等でも構わない。さらに、記録再生装置に搭載した記録再生部の数に合わせて記録再生部表示を増やしても構わない。例えば、ＨＤＤとＤＶＤとＤ−ＶＨＳの３個の記録再生部がある場合にはＨＤＤ記録再生部表示とＤＶＤ記録再生部表示とＤ−ＶＨＳ記録再生部表示を備え、それぞれの表示の間にそれぞれのイルミネーション表示部を配置するようにしても良い。
【００２８】
尚、マルチ表示部として蛍光表示管での表示例で説明したが、マルチ表示部としてはこれに限ったものではない。例えば、モニター画面上での表示やイルミネーション表示部としてＬＥＤを並べた場合の表示でも構わない。
【図面の簡単な説明】
【００２９】
【図１】記録再生装置の前面外観図の一例である。
【図２】記録再生装置の概略構成の一例を示すブロック図である。
【図３】べんりメニューの一例を表す。
【図４】ダビング方向メニューの一例を表す。
【図５】ダビングモードメニューの一例を表す。
【図６】コンテンツメニューの一例を表す。
【図７】第１の実施例における蛍光表示管の表示例を示す。
【図８】第２の実施例における蛍光表示管の表示例を示す。
【図９】第３の実施例における蛍光表管の表示例を示す。
【符号の説明】
【００３０】
１…蛍光表示管、２…リモコン受光部（ＩＲ）、３…ＤＶＤ挿入口、４…操作ボタン５…ＤＶＤ記録再生部表示、６…ＨＤＤ記録再生部表示、１３…イルミネーション表示部、
７…ＤＶＤ記録再生部の再生表示、８…ＤＶＤ記録再生部の記録表示、
９…ＨＤＤ記録再生部の再生表示、１０…ＨＤＤ記録再生部の記録表示、
１０１…駆動ＩＣ部、１０２…システムＣＰＵ部、
１０３…記録再生制御ＣＰＵ部、１０４…ＨＤＤ記録再生部、
１０５…ＤＶＤ記録再生部、１０６…Ｄ−ＶＨＳ記録再生機、１０７…リモコン送信機、
１０９…モニター機、１１０…べんりメニュー、１１０ａ…ダビング、
１１１…ダビング方向メニュー、１１１ａ…ＨＤＤ−＞ＤＶＤ、
１１２…ダビングモードメニュー、１１３…コンテンツメニュー
【図１】
2006139852.tif 000003
【図２】
2006139852.tif 000004
【図３】
2006139852.tif 000005
【図４】
2006139852.tif 000006
【図５】
2006139852.tif 000007
【図６】
2006139852.tif 000008
【図７】
2006139852.tif 000009
【図８】
2006139852.tif 000010
【図９】
2006139852.tif 000011